(57)【要約】      （修正有）【課題】扇状に開く蛇腹収納を持ち、使用者が自己の使用環境に応じて本体を最適化することができ、カードの増加にスマートに対応する、じゃばら型両面カードケースを提供する。【解決手段】ポケットシート（１）と、その両端に付属する金属プレート（３）と、そのさらに両端に付属するベルト（４）で構成するカードケースを作る。これは蛇腹に折り畳んで携帯することができ、またベルトを操作して常に収納をコンパクトにすることを可能にし、かつ使用時に２つのベルトをコントロールすることで、コンパクトな扇状にも、長い帯状にも使えることを可能とした、カード時代に適合するカードケースである。【選択図】図５
0003121261.tif 000002
【実用新案登録請求の範囲】
【請求項１】
本請求は下記を特徴とする、じゃばら型両面カードケースに関する。
即ち、本体の構成については、収納部分を成す「複数のカードを横または縦に連ねて収納し、かつ蛇腹に折り畳め、かつ両面使用が可能な、機能性および装飾性に富む収納体（以下、収納体）」と、その両端にあって収納体のカバー部分を成す「機能性および装飾性に富む筐体（以下、筐体）」と、それらを蛇腹に折り畳んだ状態で固定し、かつ両面開きを可能にする役目を果たす「機能性および装飾性に富む留具（以下、留具）」から成ることを特徴とする。
かかる構成に基づき完成するカードケースは、その付属する収納体の両面を使用することができ、その収納体は蛇腹に折り畳んで携帯することができ、不使用時は本体の２辺以上を留具で固定して蛇腹が開かないようにすることができ、使用時には本体の一辺のみが固定されるように留具を操作して、その一辺を軸に蛇腹を扇状に開いて利用することができる特徴を持つものである。
【請求項２】
請求項１に請求されるカードケースの留具の「長さ」や「留め位置」を、使用者が自ら容易に調節できるように設計し、収納量の増減にあわせて都度最適な収納ができるようにしたカードケース。
【請求項３】
請求項１または２に請求されるカードケースに、収納体の脱着を可能とならしめる設計を施し、ポケットシートや筐体を使用者がその用途に応じて選択し、自ら容易に交換できるようにしたカードケース。
【請求項４】
請求項１から３に請求されるカードケースを財布やＣＤケース等に転用したもの。
【考案の詳細な説明】
【技術分野】
【０００１】  本考案は、扇状に開く蛇腹収納を持ち、使用者が自己の使用環境に応じて本体を最適化することができる、両面仕様のカードケースに関する。
【背景技術】
【０００２】  従来のカードケースや財布は「片面開きに作る」という既成概念に捕われており、その構造は用途を広げる程に厚みを増し、用途を追求する程に不便になるというジレンマに陥っている。
【考案の開示】
【考案が解決しようとする課題】
【０００３】  今日のカード社会にあって、増えるカードをいかにコンパクトに、取り出しやすい状態で携帯するかということは日常の便利を大きく左右する事柄であるが、様々なカードケースや財布が市場に溢れる中で、未だに多くの人が不便しているのが現状である。
本考案は「財布がパンパンでカードが取り出せない」「必要な時にクーポンはいつも行方不明」などの日常に見られる不便を課題とし解決しようとするものである。
【課題を解決するための手段】
【０００４】  本考案はカードケースの機能に「密閉性・耐久性」よりも「携帯性・利便性」を追求することで上記課題を解決しようとするものである。【０００５】  即ち、本考案は請求項１に記載の如く、カードケースを収納体と筐体から成る一個の長方体に構成し、それを蛇腹に折り畳んで使用することで本体の厚みを均一かつコンパクトにならしめ、かつ、図５に表現のごとく扇状に開く仕組にすることでカードの扱いを容易にし、もって「携帯性」および「利便性」を満足させるものである。【０００６】  また請求項２に記載の如く、折り畳んだ際の本体を閉じる留具の「長さ」や「留め位置」を使用者が自ら調節できるようにすることにより、収納量の変化にも柔軟に対応することを可能としたカードケースを提供することができる。【０００７】  かつ請求項３に記載の如く、収納体を本体から取り外せる構造にすることで、用途に応じて収納能力を増減することや、シーンに合わせて筐体を交換することを可能としたカードケースを提供することができる。【０００８】  さらに、請求項４に記載の如く、このカードケースを財布等に転用することにより、ますますその用途を広げるものである。【０００９】  本考案は以上の手段をもって課題を解決するものであるが、「携帯性・利便性」をデザインや素材の面から追及した場合に従来求められてきた「密閉性・耐久性」を軽視する結果になることが予想される。しかしそれも、現代においては一つの選択肢であると考えるものである。
【考案の効果】
【００１０】  本考案は以上の如く構成したので、次のような効果を奏するのである。即ち、請求項１の如く、カードケースを両面開きの蛇腹構造にすることで、何枚ものカードを均一かつ最小限の厚みに収納し、かつカードの取り出しを容易にしたカードケースの提供が可能となる。【００１１】  また請求項２から３の如く、利用者は自己の用途に合わせてカードケースを最適化することができ、その効果は、使用者の利便の向上に留まらず、市場に新しい価値を提供するものである。
【考案を実施するための最良の形態】
【００１２】  次に、本考案の実施するための最良の形態を説明する。
以下に説明する「最良の形態」は、請求項１から４に挙げる全ての性能を盛り込み、かつそれを安価に生産することを目的に提案するものである。【００１３】  本考案におけるカードケースは、大まかには、▲１▼カードを横または縦に連ねて収納できる両面仕様の収納体と、▲２▼その両端に設けて本体のカバーとする筐体と、▲３▼それらをコンパクトに固定する留具から構成されるものである。【００１４】  これを具体的に説明すれば、図１の如く、ポケットシート（１）と、その両端に付属する「金属プレート（３）が入った表紙ポケット（２）」と、そのさらに両端に付属するベルト（４）で構成されるものである。【００１５】  ポケットシート（１）は、ポリエチレン製等の透明フィルムを横長に２枚重ねて底辺と両側面を加熱シーリングし、さらにカード幅の間隔で縦にシーリングを施して上開きの縦長ポケットを複数枚構成したものである。また、このシートの左端ポケットにはビニール製のジッパー（６）を設けるものとする。（図１）
このように構成した透明なポケットシートは、一つのポケットに２枚のカードを背中合わせに収納することで、両面の用途に供するのである。
また、前の例に比べて工程と厚みが増すものの、図２のようにポケットシートを構成すると、より取り出しやすく、かつカードがずり落ちにくいカードケースを作ることができる。このように工夫は際限ないので、ここでは一番シンプルで安価な製造が可能な最初の例を採択するものとする。【００１６】  表紙ポケット（２）は、厚みのある塩化ビニール等を素材にし、横幅の違う２枚のシートを重ねて上下と片側面を熱シーリングし、図３にあるような側面開きのポケットを構成したもので、シート幅の長いほうの面を「表」、短いほうの面を「裏」としたものである。これらのサイズは、ポケットシート（１）を蛇腹に折り畳んだ時に、その表面面積より少し大きめになるよう設定する。【００１７】  金属プレート（３）は、適度な強度を持った薄型のプレートで、完成時に前項の表紙ポケットに収納されるものである。【００１８】  ベルト（４）は、表紙ポケット（２）と同じ素材で作った幅広のベルトで、裏面の片側に磁石シート（５）を接着したものである（図３）。
上記の磁石に替えてマジックテープやボタンを利用すれば、磁気を嫌うカードの収納も可能となるが、ここでは薄さと操作性を追求し、最初の例を採択した。【００１９】  これらパーツを【００１４】の如く組み合わせて本体を完成するのだが、この時にポケットシート（１）のポケット数が奇数枚か偶数枚かでその方法に多少の違いが出るため、以降は「奇数枚のポケット」であることを前提にして説明する。【００２０】  ポケットシート（１）の両端に表紙ポケット（２）を接着させる際は、表紙ポケットの閉じた側が外側に来るよう接着し、また左端の表紙ポケットが裏面を上にするのであれば、右端の表紙ポケットは表面を上にする、といったように左右非対称にする（図１）。こうすることで蛇腹に畳んだ時に表紙ポケットの表面が外になり、また収納した金属プレートのずり落ちが防止される。【００２１】  両の表紙ポケット（２）の各々にベルト（４）を接着する際は、表紙ポケットの裏面とベルトの裏面（磁石の付いた面）が対応するようにし、ベルト裏面の磁石の付いていない側を、表紙ポケットの閉じた側の中央に接着する（図３）。
以上により図１の展開図の如くの本体が形成される。【００２２】  最後に、両の表紙ポケット（２）に金属プレート（３）を差し込み、表紙ポケットの表面が上にくるように蛇腹に折り畳み、２つのベルトをそれぞれ反対側の面に固定して、カードケースを完成する。（図４）【００２３】  こうして完成するのは、コンパクトで、扇状に開けてカードが取り出しやすく、両面が使えて小銭も収納でき、気分によっては金属プレート（３）を別の色に交換でき、カードの枚数が増えすぎたら容量の多い別のポケットシートに交換することもできる、請求項１から４の如くのカードケースである。
【実施例】
【００２４】  両面を使用できるカードケースのため、片面をクレジットカード専用に、もう片面は診察券専用に使うといった方法がある。
また、通常は折り畳んだ状態で開閉し、カードの整理をする時などには長く広げて全体を把握しながら作業する、といった活用方法もある。
【産業上の利用可能性】
【００２５】  新しいタイプのカードケースであるため、そのデザイン、素材、機能面など、様々に工夫する余地がある。また高度な技術を要さず、それでいて安価なものから高価なものまでその生産の幅を広げることが可能な製品であることから、企業にとって新規に介入しやすい市場を提供するものと考える。
【図面の簡単な説明】
【００２６】
【図１】    カードケースの展開図である。
【図２】    ポケットシートの構成例である。
【図３】    表紙ポケットとベルトの関係図である。
【図４】    完成したカードケースの斜視図である。
【図５】    カードケースの利用例である。
【符合の説明】
【００２７】    １      ポケットシート
１−ａ  ポケットの口
１−ｂ  シーリング線
２      表紙ポケット
２−ａ  ポケットの口
３      金属プレート
４      ベルト
５      磁石シート
６      ジッパー
【図１】
0003121261.tif 000003
【図２】
0003121261.tif 000004
【図３】
0003121261.tif 000005
【図４】
0003121261.tif 000006
【図５】
0003121261.tif 000007
【手続補正書】
【提出日】平成18年1月16日(2006.1.16)
【手続補正１】
【補正対象書類名】実用新案登録請求の範囲
【補正対象項目名】全文
【補正方法】変更
【補正の内容】
【実用新案登録請求の範囲】
【請求項１】
本請求は下記を特徴とするカードケースに関する。
即ち、
（１）  複数のカードを一列に連ねて収納し、蛇腹に折り畳め、かつ両面仕様の、機能性および装飾性に富む収納体（以下、収納体）、
（２）  収納体の両端に付属し、収納体を蛇腹に折り畳んだ時にその表裏部分となる、機能性および装飾性に富む筐体（以下、筐体）、
（３）  収納体と筐体を一個の本体とした時、本体を蛇腹に閉じた状態に固定し、かつ扇開きを可能にする、機能性および装飾性に富む留具（以下、留具）、
以上の構成からなるカードケース。
【請求項２】
請求項１に記載の留具に、磁石や、長さを調節できるベルトを採用するなどして、収納量の増減にあわせた留め位置の調節を可能にしたカードケース。
【請求項３】
請求項１に記載の筐体を、収納体に付属するポケットに差し込む設計にするなどして、本体を収納体と筐体とに容易に再分離することを可能にしたカードケース。
【請求項４】
請求項１に記載のカードケース本体に、小銭や札入れ用のポケットを追加するなどして、財布としての使用を可能にしたカードケース。